Podtech/llm-jp-corpus-v4-ja_patent huggingface dataset:
【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
スピーカと、
演出表示装置と、
遊技者が操作することができる演出操作部と、
音量を設定することができるとともに遊技者が操作することができないボリュームと、
遊技の進行を制御する主制御手段と、
該主制御手段からのコマンドに基づいて演出の進行を制御する演出制御手段と、
を備える遊技機であって、
前記演出制御手段は、少なくとも、
前記ボリュームで設定される音量で演出に関する演出音の音量を調整する演出音音量調整制御手段と、
所定の条件が成立したときに前記演出表示装置に前記演出操作部を操作するための画像が表示されて該画像の指示に対して前記演出操作部が操作されたことにより該操作に応じて前記演出音音量調整制御手段が調整した前記演出音の音量を変更する演出音音量変更制御手段と、
前記演出音の音量の大きさを画像として前記演出表示装置に表示するとともに前記演出操作部の操作を画像として当該演出表示装置に表示して当該演出操作部の操作を指示する画像演出音音量表示制御手段と、
前記演出音音量調整制御手段が音量調整した前記演出音又は前記演出音音量変更制御手段が音量調整した前記演出音を前記スピーカから流す制御を実行することができるとともに、当該演出音音量変更制御手段が音量調整した音量を確認するための確認音を当該スピーカから流す制御を実行することができる音出力実行制御手段と、
を含み、
前記演出音音量変更制御手段は、前記所定の条件が成立して前記画像演出音音量表示制御手段が前記演出音の音量の大きさを画像として前記演出表示装置に表示するとともに前記演出操作部の操作を画像として当該演出表示装置に表示して当該演出操作部の操作を指示するときにおいて、前記演出音音量調整制御手段が調整した前記演出音の音量を大きくするように当該演出操作部が操作されたときには、該操作に応じて当該演出音の音量を大きく変更する一方、前記演出音音量調整制御手段が調整した前記演出音の音量を小さくするように当該演出操作部が操作されたときには、該操作に応じて当該演出音の音量を小さく変更し、
前記音出力実行制御手段は、前記所定の条件が成立して前記画像演出音音量表示制御手段が前記演出音の音量の大きさを画像として前記演出表示装置に表示するとともに前記演出操作部の操作を画像として当該演出表示装置に表示して当該演出操作部の操作を指示するときにおいて、前記演出音音量調整制御手段が調整した前記演出音の音量を大きくするように当該演出操作部が操作されたときには、該操作に応じて当該演出音の音量を前記演出音音量変更制御手段が大きく変更すると、該変更した音量で前記確認音を前記スピーカから流す制御を実行する一方、前記演出音音量調整制御手段が調整した前記演出音の音量を小さくするように当該演出操作部が操作されたときには、該操作に応じて当該演出音の音量を前記演出音音量変更制御手段が小さく変更すると、該変更した音量で前記確認音を前記スピーカから流す制御を実行することを特徴とする遊技機。
【手続補正２】
【補正対象書類名】明細書
【補正対象項目名】０００８
【補正方法】変更
【補正の内容】
【０００８】
（解決手段１）
スピーカと、演出表示装置と、遊技者が操作することができる演出操作部と、音量を設定することができるとともに遊技者が操作することができないボリュームと、遊技の進行を制御する主制御手段と、該主制御手段からのコマンドに基づいて演出の進行を制御する演出制御手段と、を備える遊技機であって、前記演出制御手段は、少なくとも、前記ボリュームで設定される音量で演出に関する演出音の音量を調整する演出音音量調整制御手段と、所定の条件が成立したときに前記演出表示装置に前記演出操作部を操作するための画像が表示されて該画像の指示に対して前記演出操作部が操作されたことにより該操作に応じて前記演出音音量調整制御手段が調整した前記演出音の音量を変更する演出音音量変更制御手段と、前記演出音の音量の大きさを画像として前記演出表示装置に表示するとともに前記演出操作部の操作を画像として当該演出表示装置に表示して当該演出操作部の操作を指示する画像演出音音量表示制御手段と、前記演出音音量調整制御手段が音量調整した前記演出音又は前記演出音音量変更制御手段が音量調整した前記演出音を前記スピーカから流す制御を実行することができるとともに、当該演出音音量変更制御手段が音量調整した音量を確認するための確認音を当該スピーカから流す制御を実行することができる音出力実行制御手段と、を含み、前記演出音音量変更制御手段は、前記所定の条件が成立して前記画像演出音音量表示制御手段が前記演出音の音量の大きさを画像として前記演出表示装置に表示するとともに前記演出操作部の操作を画像として当該演出表示装置に表示して当該演出操作部の操作を指示するときにおいて、前記演出音音量調整制御手段が調整した前記演出音の音量を大きくするように当該演出操作部が操作されたときには、該操作に応じて当該演出音の音量を大きく変更する一方、前記演出音音量調整制御手段が調整した前記演出音の音量を小さくするように当該演出操作部が操作されたときには、該操作に応じて当該演出音の音量を小さく変更し、前記音出力実行制御手段は、前記所定の条件が成立して前記画像演出音音量表示制御手段が前記演出音の音量の大きさを画像として前記演出表示装置に表示するとともに前記演出操作部の操作を画像として当該演出表示装置に表示して当該演出操作部の操作を指示するときにおいて、前記演出音音量調整制御手段が調整した前記演出音の音量を大きくするように当該演出操作部が操作されたときには、該操作に応じて当該演出音の音量を前記演出音音量変更制御手段が大きく変更すると、該変更した音量で前記確認音を前記スピーカから流す制御を実行する一方、前記演出音音量調整制御手段が調整した前記演出音の音量を小さくするように当該演出操作部が操作されたときには、該操作に応じて当該演出音の音量を前記演出音音量変更制御手段が小さく変更すると、該変更した音量で前記確認音を前記スピーカから流す制御を実行することを特徴とする遊技機。
【手続補正３】
【補正対象書類名】明細書
【補正対象項目名】０００９
【補正方法】変更
【補正の内容】
【０００９】
この遊技機では、スピーカ、演出表示装置、演出操作部、ボリューム、主制御手段、演出制御手段を備えている。スピーカは、各種の音を流すことができ、演出表示部は、さまざまな画像を表示することができ、演出操作部は、遊技者が操作することができ、ボリュームは、音量を設定することができるとともに遊技者が操作することができないものであり、主制御手段は、遊技の進行を制御し、演出制御手段は、主制御手段からのコマンドに基づいて演出の進行を制御している。
【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
患者胸部に当てるように形成されている一対の電極であって、前記患者の心臓リズムを示すデータを入手し、および適切な場合に除細動ショックを与えるための電極と、
前記電極のうちの少なくとも一方の上、または、両方の前記電極を指示するための電極アセンブリの上にある印とを備え、
前記印は前記ユーザが前記患者の胸部の解剖学的特徴のうちの１つ以上のものと前記電極を位置合わせすることを補助するために形成される、除細動器に使用するための電極。
【請求項２】
前記解剖学的特徴は、前記患者の鎖骨の少なくとも１つを含んでなる、請求項１に記載の電極。
【請求項３】
前記解剖学的特徴は前記患者の胸部の中心線を含んでなる、請求項１に記載の電極。
【請求項４】
前記解剖学的特徴は前記患者の胸部の中心線をさらに含んでなる、請求項２に記載の電極。
【請求項５】
前記解剖学的特徴は前記患者の胸骨の中心を含んでなる、請求項１に記載の電極。
【請求項６】
前記解剖学的特徴は前記患者の胸骨の中心を含んでなる、請求項２〜４のいずれか一項に記載の電極。
【請求項７】
ＣＰＲパッドを備えた中心部材をさらに備え、前記ＣＰＲパッドはおおむね前記胸骨の位置で前記中心部材の上に載置される、請求項１に記載の電極。
【請求項８】
前記ＣＰＲパッドはＣＰＲ胸部圧迫を加える間に介助者によって押圧されるように形成されている、請求項１３に記載の電極。
【請求項９】
前記中心部材は２つの前記電極のそれぞれと機械的に連結して電極アセンブリをなす、請求項１または４のいずれかに記載の電極。
【請求項１０】
前記印は前記ユーザが前記患者の胸部の解剖学的特徴のうちの１つ以上のものと前記ＣＰＲパッドを位置合わせすることを補助するために形成される、請求項１〜３のいずれか一項に記載の電極。
【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる複数の循環表示手段と、
前記絵柄の循環表示を開始させるべく操作される開始操作手段と、
役の抽選を行う抽選手段と、
前記循環表示手段における循環表示を個別に停止させるべく操作される複数の停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
所定遊技状態に移行させる所定遊技状態移行手段と、
前記所定遊技状態下で前記役の抽選結果が第１結果となった場合に前記所定遊技状態の終了後に特別特典を付与し得る特別特典付与手段と、
前記役の抽選結果が前記第１結果であって、前記複数の停止操作手段に所定操作順序の第１特定操作がなされた場合、特定の絵柄組合せを形成する第１所定停止出目を停止させるべく前記循環表示手段を停止制御する第１停止制御手段と、
前記役の抽選結果が前記第１結果であって、前記複数の停止操作手段に前記所定操作順序と異なる操作順序の第２特定操作がなされた場合、前記第１所定停止出目と異なる第２所定停止出目を停止させるべく前記循環表示手段を停止制御する第２停止制御手段と、
演出実行モードとして、前記役の抽選結果が前記第１結果である場合に前記第１所定停止出目が停止し得ることを示唆する第１示唆演出を実行する第１演出実行モードと、前記役の抽選結果が前記第１結果である場合に前記第１示唆演出を実行しない第２演出実行モードと、を少なくとも有し、前記演出実行モードを設定するモード設定手段と、
前記モード設定手段が前記第２演出実行モードを設定した場合、前記役の抽選結果が前記第１結果である場合に前記第２特定操作を示唆する第２示唆演出を実行する第２示唆演出実行手段と、前記役の抽選結果が前記第１結果となった遊技回とは別の遊技回において特別特典付与に対応した報知を行う特別特典報知手段とを備え、
前記各演出実行モードは、複数回の遊技にわたって実行可能な構成であることを特徴とする遊技機。
【手続補正２】
【補正対象書類名】明細書
【補正対象項目名】０００８
【補正方法】変更
【補正の内容】
【０００８】
請求項１に記載の発明では、複数種の絵柄を循環表示させる複数の循環表示手段と、前記絵柄の循環表示を開始させるべく操作される開始操作手段と、役の抽選を行う抽選手段と、前記循環表示手段における循環表示を個別に停止させるべく操作される複数の停止操作手段と、前記役の抽選に当選した当選役と対応する当選絵柄が有効位置に所定の組合せを形成して停止したことに基づいて、入賞成立として遊技者に特典を付与する特典付与手段とを備えた遊技機において、所定遊技状態に移行させる所定遊技状態移行手段と、前記所定遊技状態下で前記役の抽選結果が第１結果となった場合に前記所定遊技状態の終了後に特別特典を付与し得る特別特典付与手段と、前記役の抽選結果が前記第１結果であって、前記複数の停止操作手段に所定操作順序の第１特定操作がなされた場合、特定の絵柄組合せを形成する第１所定停止出目を停止させるべく前記循環表示手段を停止制御する第１停止制御手段と、前記役の抽選結果が前記第１結果であって、前記複数の停止操作手段に前記所定操作順序と異なる操作順序の第２特定操作がなされた場合、前記第１所定停止出目と異なる第２所定停止出目を停止させるべく前記循環表示手段を停止制御する第２停止制御手段と、演出実行モードとして、前記役の抽選結果が前記第１結果である場合に前記第１所定停止出目が停止し得ることを示唆する第１示唆演出を実行する第１演出実行モードと、前記役の抽選結果が前記第１結果である場合に前記第１示唆演出を実行しない第２演出実行モードと、を少なくとも有し、前記演出実行モードを設定するモード設定手段と、前記モード設定手段が前記第２演出実行モードを設定した場合、前記役の抽選結果が前記第１結果である場合に前記第２特定操作を示唆する第２示唆演出を実行する第２示唆演出実行手段と、前記役の抽選結果が前記第１結果となった遊技回とは別の遊技回において特別特典付与に対応した報知を行う特別特典報知手段とを備え、前記各演出実行モードは、複数回の遊技にわたって実行可能な構成であることを特徴とする。
【手続補正書】
【提出日】平成27年9月16日(2015.9.16)
【手続補正１】
【補正対象書類名】特許請求の範囲
【補正対象項目名】全文
【補正方法】変更
【補正の内容】
【特許請求の範囲】
【請求項１】
インスリン関連障害のある患者の治療に食事時使用するためのインスリン組成物であって、該組成物は、肺投与に適していて、前記患者の食後血糖変動を抑えるために、前記患者の全インスリン曝露（ＩＮＳ−ＡＵＣ０−ｙ，３≦ｙ≦６時間）がインスリンの適正な皮下用量により産生されるものを超えない用量で使用され、臨床上重要な後期食後低血糖の発症は抑えられることを特徴とするインスリン組成物。
【請求項２】
前記患者の血清インスリン濃度を投与後１５分以内にピークに到達させ投与後５０分以内に半最大値まで低下させる、請求項１に記載のインスリン組成物。
【請求項３】
乾燥粉末として吸入により投与できるように適合されている、請求項１又は２に記載のインスリン組成物。
【請求項４】
食事の開始に先立つ１０分〜食事の開始後３０分に投与できるように適合されている、請求項１から３のいずれか１項に記載のインスリン組成物。
【請求項５】
前記インスリン関連障害が糖尿病である、請求項１から４のいずれか１項に記載のインスリン組成物。
【請求項６】
前記インスリン関連障害が２型糖尿病である、請求項５に記載のインスリン組成物。
【請求項７】
前記インスリン関連障害が１型糖尿病である、請求項５に記載のインスリン組成物。
【請求項８】
前記治療では基礎インスリンを使用する、請求項１から７のいずれか１項に記載のインスリン組成物。
【請求項９】
前記基礎インスリンは長期作用型基礎インスリンを含む、請求項８に記載のインスリン組成物。
【請求項１０】
ジケトピペラジンを含む、請求項１から９のいずれか１項に記載のインスリン組成物。
【請求項１１】
前記ジケトピペラジンは、３，６−ジ（スクシニル−４−アミノブチル）−２，５−ジケトピペラジン、３，６−ジ（マレイル−４−アミノブチル）−２，５−ジケトピペラジン、３，６−ジ（グルタニル−４−アミノブチル）−２，５−ジケトピペラジン、３，６−ジ（マロニル−４−アミノブチル）−２，５−ジケトピペラジン、３，６−ジ（オキサリル−４−アミノブチル）−２，５−ジケトピペラジン、又は３，６−ジ（フマリル−４−アミノブチル）−２，５−ジケトピペラジンを含む、請求項１０に記載のインスリン組成物。
【請求項１２】
前記ジケトピペラジンは、３，６−ジ（フマリル−４−アミノブチル）−２，５−ジケトピペラジンを含む、請求項１０に記載のインスリン組成物。
【請求項１３】
ヒトインスリンを含む、請求項１から１２のいずれか１項に記載のインスリン組成物。
【請求項１４】
前記食後血糖変動が、同様のインスリン曝露をもたらす皮下投与インスリンの用量より生じる食後血糖変動より小さい、請求項１から１３のいずれか１項に記載のインスリン組成物。
【請求項１５】
平均血糖変動が、皮下投与の場合より少なくとも２５％小さい、請求項１４に記載のインスリン組成物。
【請求項１６】
前記食後血糖変動が、インスリン単独の適正な皮下用量での治療により産生されるものより抑えられる、請求項１から１５のいずれか１項に記載のインスリン組成物。
【請求項１７】
前記臨床上重要な後期食後低血糖のエピソードの頻度が、インスリン単独の適正な皮下用量での治療に比べて抑えられる、請求項１から１６のいずれか１項に記載のインスリン組成物。
【請求項１８】
インスリン関連障害のある患者の治療に食事時使用するためのジケトピペラジンを含むインスリン組成物であって、該組成物は、肺投与に適していて、前記患者の食後血糖変動を抑えるために、前記患者の全インスリン曝露（ＩＮＳ−ＡＵＣ０−ｙ，３≦ｙ≦６時間）がインスリンの適正な皮下用量により産生されるものを超えない用量で使用され、そして、患者の血清インスリン濃度を投与後２０分以内にピークに到達させ投与後５０分以内に半最大値まで低下させる、ことを特徴とするインスリン組成物。
【請求項１９】
後期食後低血糖のリスクを高めない、請求項１８に記載のインスリン組成物。
【請求項２０】
体重増加が抑えられる、請求項１８に記載のインスリン組成物。
【請求項２１】
投与後１５分以内に最大血清インスリン濃度に到達する、請求項１８に記載のインスリン組成物。
【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
以下の
【化４１】
2015110674.tif 000001
ならびにそれらの溶媒和物および水和物からなる群より選択される化合物。
【請求項２】
以下の
【化４２】
2015110674.tif 000002
ならびにその溶媒和物および水和物からなる群より選択される、請求項１に記載の化合物。
【請求項３】
以下の式の
【化４３】
2015110674.tif 000003
請求項１に記載の化合物。
【請求項４】
以下の
【化４４】
2015110674.tif 000004
ならびにその溶媒和物および水和物からなる群より選択される、請求項１に記載の化合物。
【請求項５】
以下の式の
【化４５】
2015110674.tif 000005
請求項１に記載の化合物。
【請求項６】
請求項１に記載の化合物と薬学的に許容される担体とを含む、組成物。
【請求項７】
請求項２に記載の化合物と薬学的に許容される担体とを含む、組成物。
【請求項８】
請求項３に記載の化合物と薬学的に許容される担体とを含む、組成物。
【請求項９】
請求項４に記載の化合物と薬学的に許容される担体とを含む、組成物。
【請求項１０】
請求項５に記載の化合物と薬学的に許容される担体とを含む、組成物。
【請求項１１】
請求項１〜５のいずれか一項に記載の化合物と生理学的または栄養学的に許容される担体、アジュバント、賦形剤、緩衝剤、または希釈剤とを含む、食品、医療用食品、機能性食品、栄養補助食品、またはサプリメント。
【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
少なくとも片面に周期的な凹凸形状が形成された凹凸構造層を有し、
厚み平均が０．２μｍ以上２０．０μｍ以下であり、
前記凹凸構造層の降伏歪みが１％以上であり、且つ、引張伸度が１０％以上であり、
樹脂を含む溶液を乾燥することによって形成されることを特徴とする自立膜。
【請求項２】
前記凹凸構造層の厚みばらつき平均が１００ｎｍ以下であることを特徴とする請求項１に記載の自立膜。
【請求項３】
前記凹凸構造層の主成分にパーフルオロアルキルエーテル環構造を有するフッ素系樹脂、セルロース系誘導体、及びシクロオレフィン系樹脂からなる群から選択される少なくとも１つの樹脂を用いることを特徴とする請求項１又は２に記載の自立膜。
【請求項４】
前記凹凸形状における凸部が一定の周期間隔を有して配置されていることを特徴とする請求項１〜３の何れか一項に記載の自立膜。
【請求項５】
前記凹凸形状における凸部の周期間隔が１．０μｍ以下であることを特徴とする請求項１〜４の何れか一項に記載の自立膜。
【請求項６】
前記凹凸形状における凸部の高さが前記凹凸形状の周期間隔の０．５倍以上２．０倍以下であることを特徴とする請求項１〜５の何れか一項に記載の自立膜。
【請求項７】
前記凹凸形状における凸部の形状が多角錐形状、円錐形状、截頭多角錐形状又は截頭円錐形状であることを特徴とする請求項１〜６の何れか一項に記載の自立膜。
【請求項８】
請求項１〜７の何れか一項に記載の自立膜と、前記自立膜の裏面に設けられて前記自立膜に対し剥離可能な剥離体と、を含む自立構造体。
【請求項９】
前記凹凸構造層と前記剥離体が接していることを特徴とする請求項８に記載の自立構造体。
【請求項１０】
前記剥離体の前記凹凸構造層に対向する表面が、略球面形状を有する請求項８又は９に記載の自立構造体。
【請求項１１】
請求項１〜７の何れか一項に記載の自立膜と、前記自立膜の裏面に設けられた粘着剤層又は接着剤層と、を含む自立構造体。
【請求項１２】
前記凹凸構造層と前記粘着剤層又は接着剤層が接していることを特徴とする請求項１１に記載の自立構造体。
【請求項１３】
請求項１〜７の何れか一項に記載の自立膜の製造方法であって、
降伏歪みが１％以上であり、且つ、引張伸度が１０％以上である樹脂組成物を有機溶媒に溶解させてなるポリマー溶液を、表面に周期的な凹凸形状を有する成膜基板上に塗布した後、乾燥させて剥離し、厚み平均が０．２μｍ以上２０．０μｍ以下である自立膜を得ることを特徴とする、自立膜の製造方法。
【請求項１４】
請求項１〜７の何れか一項に記載の自立膜の製造方法であって、
基板表面に凹形状を有する成膜基板上に、自立膜材料を所定の膜厚になるように塗布して自立膜を成形した後、前記成膜基板より該自立膜を剥離することを特徴とする自立膜の製造方法。
【請求項１５】
前記基板表面上にシランカップリングを施すことを特徴とする請求項１４に記載の自立膜の製造方法。
【手続補正２】
【補正対象書類名】明細書
【補正対象項目名】発明の名称
【補正方法】変更
【補正の内容】
【発明の名称】自立膜、自立構造体、及び自立膜の製造方法
【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
希土類元素オキシフッ化物粒子の外形のアスペクト比が２以下、粒度分布がＤ50＝２８〜５０μｍ、Ｄ10＝１８〜３０μｍ、Ｄ90＝４８〜８０μｍで、嵩密度が０．８ｇ／ｃｍ3以上２ｇ／ｃｍ3以下、炭素を０．５質量％以下、酸素を３質量％以上１５質量％以下含有することを特徴とする希土類元素オキシフッ化物粉末溶射材料。
【請求項２】
希土類元素がＹ及びＬａからＬｕまでの３Ａ族元素から選ばれる１種又は２種以上である請求項１に記載の溶射材料。
【請求項３】
希土類元素がＹ、Ｇｄ及びＥｒから選ばれる請求項２に記載の溶射材料。
【請求項４】
基材に、請求項１〜３のいずれか１項に記載の溶射材料をプラズマ溶射することにより、炭素含有量が０．１質量％以下、酸素含有量が３質量％以上１５質量％以下の溶射皮膜を形成してなるとを特徴とする希土類元素オキシフッ化物溶射部材。
【手続補正２】
【補正対象書類名】明細書
【補正対象項目名】０００７
【補正方法】変更
【補正の内容】
【０００７】
本発明者らは、上記の課題を解決するために、本発明の希土類元素オキシフッ化物粉末溶射材料として、希土類元素オキシフッ化物粒子の外形のアスペクト比が２以下、粒度分布がＤ50＝２８〜５０μｍ、Ｄ10＝１８〜３０μｍ、Ｄ90＝４８〜８０μｍで、嵩密度が０．８ｇ／ｃｍ3以上２ｇ／ｃｍ3以下、炭素を０．５質量％以下、酸素を３質量％以上１５質量％以下含有する溶射材料をプラズマ溶射すること、これにより炭素含有量が０．１質量％以下、酸素含有量が３質量％以上１５質量％以下の溶射皮膜を基材に形成することが有効であることを知見し、本発明をなすに至った。
【手続補正３】
【補正対象書類名】明細書
【補正対象項目名】０００８
【補正方法】変更
【補正の内容】
【０００８】
従って、本発明は、下記の溶射材料及び溶射部材を提供する。
〔１〕
希土類元素オキシフッ化物粒子の外形のアスペクト比が２以下、粒度分布がＤ50＝２８〜５０μｍ、Ｄ10＝１８〜３０μｍ、Ｄ90＝４８〜８０μｍで、嵩密度が０．８ｇ／ｃｍ3以上２ｇ／ｃｍ3以下、炭素を０．５質量％以下、酸素を３質量％以上１５質量％以下含有することを特徴とする希土類元素オキシフッ化物粉末溶射材料。
〔２〕
希土類元素がＹ及びＬａからＬｕまでの３Ａ族元素から選ばれる１種又は２種以上である〔１〕に記載の溶射材料。
〔３〕
希土類元素がＹ、Ｇｄ及びＥｒから選ばれる〔２〕に記載の溶射材料。
〔４〕
基材に、〔１〕〜〔３〕のいずれかに記載の溶射材料をプラズマ溶射することにより、炭素含有量が０．１質量％以下、酸素含有量が３質量％以上１５質量％以下の溶射皮膜を形成してなることを特徴とする希土類元素オキシフッ化物溶射部材。
【手続補正４】
【補正対象書類名】明細書
【補正対象項目名】００１３
【補正方法】変更
【補正の内容】
【００１３】
溶射材料の平均粒子径は１０〜１００μｍ、好ましくは１５〜６０μｍである。これは、溶射材料の粒子の大きさが小さすぎると、フレーム中で蒸発してしまうなど、溶射歩留まりが低下するおそれがあり、粒子が大きすぎるとフレーム中で完全に溶融せず、溶射膜の品質が低下するおそれがあるからである。また、造粒後の粉末である溶射材料粉末が内部まで充填していることは、粉末を取り扱う上で割れたりせずに安定していること、空隙部が存在するとその空隙部に好ましくないガス成分を含有し易いのでそれを避けることができること等の理由から、必要なことである。この点で、溶射材料の嵩密度は０．８〜２ｇ／ｃｍ3であり、好ましくは１．２〜１．８ｇ／ｃｍ3である。
なお、平均粒子径はレーザー光回折法による粒度分布測定装置によって求めることができ、質量平均値Ｄ50（即ち、累積質量が５０％となるときの粒子径又はメジアン径）として測定することができる。また、粒度分布は、後述する実施例１〜３のとおり、Ｄ50＝２８〜５０μｍ、Ｄ10＝１８〜３０μｍ、Ｄ90＝４８〜８０μｍとすることができる。
【手続補正書】
【提出日】平成27年9月16日(2015.9.16)
【手続補正１】
【補正対象書類名】特許請求の範囲
【補正対象項目名】全文
【補正方法】変更
【補正の内容】
【特許請求の範囲】
【請求項１】
SHTRLYF(C)、HMRLFFN(C)、HQKMIFA(C)、およびTHQRLWF(C)から選ばれるアミノ酸配列を有する少なくとも１つのペプチドの、アルツハイマー病を含むβ−アミロイドーシスの予防及び/又は治療のための医薬を製造するための使用。
【請求項２】
ペプチドが医薬的に許容される、KLH(キーホールリンペットヘモシアニン)である担体に結合していることにより特徴づけられる請求項１に記載の使用。
【請求項３】
静脈内、皮下、皮内、又は筋肉内投与用に製剤化されていることにより特徴づけられる、請求項１または２に記載の使用。
【請求項４】
水酸化アルミニウムであるアジュバントとともに製剤されているペプチドである、請求項１〜３のいずれかに記載の使用。
【請求項５】
ペプチドが薬剤中に、0.1ngないし10mg、または10ngないし1mg、または100ngないし10μg含まれることを特徴とする請求項１〜４のいずれかに記載の使用。
【請求項６】
ペプチドが医薬的に許容される、KLH(キーホールリンペットヘモシアニン)である担体に結合していることにより特徴づけられる請求項１に記載のペプチド。
【請求項７】
少なくとも1つの、請求項１に記載のペプチドを含む、ワクチン製剤。
【手続補正２】
【補正対象書類名】図面
【補正対象項目名】図５
【補正方法】変更
【補正の内容】
【図５】
2015110588.tif 000001
【手続補正書】
【提出日】平成27年11月4日(2015.11.4)
【手続補正１】
【補正対象書類名】特許請求の範囲
【補正対象項目名】全文
【補正方法】変更
【補正の内容】
【特許請求の範囲】
【請求項１】
カルボキシル基を有する熱硬化性樹脂（Ａ）（ただし、反応性官能基を有するエラストマー（Ｃ）に該当する場合を除く）と、
エポキシ樹脂（Ｂ）と、
反応性官能基を有するエラストマー（Ｃ）と、
導電性フィラー（Ｄ）と、
硬化剤（Ｅ）とを含み、
前記反応性官能基を有するエラストマー（Ｃ）が、ポリアミド系エラストマーまたはアクリル酸エステル共重合体であることを特徴とする導電性接着剤。
【請求項２】
当該導電性接着剤は、前記カルボキシル基を有する熱硬化性樹脂（Ａ）１００重量部に対して、３〜２００重量部の前記反応性官能基を有するエラストマー（Ｃ）を含む請求項１に記載の導電性接着剤。
【請求項３】
剥離性シートと、
該剥離性シートの一方の面側に設けられ、請求項１または２に記載の導電性接着剤から形成した導電性接着剤層とを備えることを特徴とする導電性接着シート。
【請求項４】
前記導電性接着剤層のゲル分率は、６０〜９５％である請求項３に記載の導電性接着シート。
【請求項５】
信号配線を備える配線板と、
該配線板の一方の面側に設けられた補強板と、
前記配線板と前記補強板との間に設けられ、これらを接合する接合層であって、請求項１または２に記載の導電性接着剤から形成した導電性接着剤層の硬化物で構成された接合層とを備えることを特徴とする配線デバイス。
【請求項６】
前記補強板は、導電性を有し、
前記配線板は、さらに、前記補強板に接続されたグランド配線を備える請求項５に記載の配線デバイス。
【請求項７】
前記配線板は、フレキシブルプリント配線板である請求項５または６に記載の配線デバイス。
【請求項８】
請求項５〜７に記載の配線デバイスの製造方法であって、
前記配線板と、前記導電性接着剤層と、前記補強板とを用意する工程と、
前記導電性接着剤層を介して前記配線板と前記補強板とを積層して、積層体を得る工程と、
該積層体を１３０〜２１０℃で加熱して、前記導電性接着剤層を硬化させることにより前記接合層を形成し、前記配線デバイスを得る工程とを備えることを特徴とする配線デバイスの製造方法。
【請求項９】
前記積層体を加熱する工程において、前記積層体を０．２〜１２ＭＰａで加圧する請求項８に記載の配線デバイスの製造方法。
【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
改質炭素生成物を少なくとも1種類のポリマーで少なくとも部分的に被覆してなり、該改質炭素生成物はコアでありかつ該ポリマーはシェルであり、前記改質炭素生成物が、少なくとも1個の有機基を結合させた少なくとも1種類の改質カーボンブラック；炭素相と含ケイ素種相とを含む少なくとも1種類の集合体；炭素相と含金属種相とを含む少なくとも1種類の集合体；または少なくとも1種類の部分的シリカ被覆カーボンブラック；またはそれらの組合せを含む、ポリマー被覆改質炭素生成物。
【請求項２】
前記少なくとも1個の有機基が少なくとも１個の芳香族基またはＣ1−Ｃ12アルキル基を含み、随意的にイオン基、イオン化可能基または極性基で置換されており、ここで該芳香族基またはＣ1−Ｃ12アルキル基が該カーボンブラックに直接結合している、請求項１に記載のポリマー被覆改質炭素生成物。
【請求項３】
前記改質炭素生成物が、炭素相と含ケイ素種相とを含む少なくとも1種類の集合体である、請求項１に記載のポリマー被覆改質炭素生成物。
【請求項４】
前記改質炭素生成物が、炭素相と含金属種相とを含む少なくとも1種類の集合体である、請求項１に記載のポリマー被覆改質炭素生成物。
【請求項５】
前記改質炭素生成物が、少なくとも1種類の部分的シリカ被覆カーボンブラックである、請求項１に記載のポリマー被覆改質炭素生成物。
【請求項６】
水にもとづく媒質中で開始剤、少なくとも1種類のモノマー、および改質炭素生成物を混合することと、少なくとも1種類のポリマーで少なくとも部分的に被覆してなるポリマー被覆改質炭素生成物を形成するための重合を行うこととを含むポリマー被覆改質炭素生成物を製造する方法において、前記モノマーがフリーラジカル重合により重合され、該改質炭素生成物はコアでありかつ該ポリマーはシェルである、請求項１に記載のポリマー被覆改質炭素生成物を製造する方法。
【請求項７】
少なくとも1種類の改質炭素生成物、少なくとも1種類の溶媒、および前記溶媒中で溶解することができる少なくとも1種類のポリマーを混合して、前記少なくとも1種類のポリマーをして前記少なくとも1種類の改質炭素生成物を少なくとも部分的に被覆させるようにすることと前記溶媒を分離除去することとを含んでなり、ここで該改質炭素生成物はコアでありかつ該ポリマーはシェルである、請求項１に記載のポリマー被覆改質炭素生成物を製造する方法。
【請求項８】
水にもとづく媒質中で開始剤、少なくとも1種類のモノマー、および改質炭素生成物を混合することと、少なくとも1種類のポリマーで少なくとも部分的に被覆してなるポリマー被覆改質炭素生成物を形成するために乳化重合を行うこととを含むポリマー被覆改質炭素生成物を製造する方法において、前記モノマーがフリーラジカル重合により重合され、該改質炭素生成物はコアでありかつ該ポリマーはシェルである、請求項１に記載のポリマー被覆改質炭素生成物を製造する方法。
【請求項９】
複数の請求項1記載のポリマー被覆改質炭素生成物において、各生成物が少なくとも1種類のポリマーで被覆されている複数のポリマー被覆改質炭素生成物。
【請求項１０】
複数の請求項1記載のポリマー被覆改質炭素生成物において、各生成物が一様なポリマー被膜厚を有する複数のポリマー被覆改質炭素生成物。
【請求項１１】
ポリマーマトリックス中に請求項1記載のポリマー被覆改質炭素生成物を分散させてなるポリマー生成物。
【請求項１２】
請求項1記載のポリマー被覆改質炭素生成物、ポリマーおよびワックスを含んでなるポリマーマスターバッチ。
【請求項１３】
請求項1記載のポリマー被覆改質炭素生成物を含んでなるポリマーマスターバッチ。
【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
５５〜５６．２７重量％の１，１，１，２−テトラフルオロプロペン（ＨＦＯ−１２３４ｙｆ）および４３．７３〜４５重量％の１，１，１，２−テトラフルオロエタン（ＨＦＣ−１３４ａ）からなる共沸混合物様組成物及び潤滑剤を含んでなる組成物であって、前記潤滑剤が、鉱油、アルキルベンゼン、ポリアルファオレフィン、ポリオールエステル、ポリアルキレングリコール、ポリビニルエーテル、合成ナフタレン、フルオロ潤滑剤またはこれらの組合せから選ばれ、前記共沸混合物様組成物は１４．３ｐｓｉａの圧力で−３０．０〜−２９．０℃の沸点を有する、組成物。
【請求項２】
前記潤滑剤が、ポリオールエステル、ポリアルキレングリコール、ポリビニルエーテル、またはこれらの組合せから選ばれる、請求項１に記載の組成物。
【請求項３】
自動車の空調装置、電気冷蔵庫、チラー、輸送冷却システム、商業冷却システム、及びヒートポンプから選ばれる冷却システムにおける請求項１又は２に記載の組成物の使用。
【請求項４】
前記冷却システムが自動車の空調装置である、請求項３に記載の使用。
【請求項５】
前記冷却システムが商業冷却システムである、請求項３に記載の使用。
【請求項６】
前記冷却システムがチラーである、請求項３に記載の使用。
【請求項７】
物品を冷却する方法であって、請求項１又は２に記載の組成物を凝縮すること、次いで、冷却される物品の近傍にある前記組成物を蒸発させることを含む、方法。
【請求項８】
物品を加熱する方法であって、加熱される物品の近傍にある請求項１又は２に記載の組成物を凝縮すること、次いで、前記組成物を蒸発させることを含む、方法。
【請求項９】
（ａ）冷却システム内の潤滑剤の実質的な部分を保持しながら、交換される冷媒を前記冷却システムから除去する工程；および
（ｂ）５５〜５６．２７重量％の１，１，１，２−テトラフルオロプロペン（ＨＦＯ−１２３４ｙｆ）および４３．７３〜４５重量％の１，１，１，２−テトラフルオロエタン（ＨＦＣ−１３４ａ）からなる共沸混合物様組成物を含む組成物を前記システムに導入する工程、ここで、前記共沸混合物様組成物は１４．３ｐｓｉａの圧力で−３０．０〜−２９．０℃の沸点を有する；
を含む、交換される冷媒および潤滑剤を含有する冷媒システムを再充填する方法。
【請求項１０】
冷却装置を改良する方法であって、
前記冷却装置が、冷媒および潤滑剤を含み；
前記冷媒が、クロロフルオロカーボン、ヒドロフルオロカーボン、ヒドロクロロフルオロカーボン、クロロフルオロカーボンまたはこれらの組合せを含み；
前記潤滑剤が、鉱油、アルキルベンゼン、ポリアルファオレフィン、ポリオールエステル、ポリアルキレングリコール、ポリビニルエーテル、合成ナフタレン、フルオロ潤滑剤またはこれらの組合せを含み；
前記方法が、
前記冷却装置から前記冷媒の少なくとも一部を除去または漏出し、潤滑剤を含む残留物を残す工程、および
前記残留物に５５〜５６．２７重量％の１，１，１，２−テトラフルオロプロペン（ＨＦＯ−１２３４ｙｆ）および４３．７３〜４５重量％の１，１，１，２−テトラフルオロエタン（ＨＦＣ−１３４ａ）からなる共沸混合物様組成物を加える工程、ここで、前記共沸混合物様組成物は１４．３ｐｓｉａの圧力で−３０．０〜−２９．０℃の沸点を有する、
を含む、方法。
【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
単量体成分を多段乳化重合させることによって得られる複数の樹脂層を有するエマルション粒子を含有する樹脂エマルション、顔料およびレオロジーコントロール剤を含有するシーラー用塗料組成物であって、前記エマルション粒子の内層が芳香族系単量体９０〜１００重量％と当該芳香族系単量体以外の単量体０〜１０重量％とを含有する単量体成分を乳化重合させてなる樹脂層であり、前記レオロジーコントロール剤がウレタン会合型レオロジーコントロール剤であり、樹脂エマルションの不揮発分１００重量部あたりの顔料の量が１４０〜４００重量部であることを特徴とするシーラー用塗料組成物。
【請求項２】
請求項１に記載のシーラー用塗料組成物が塗布されてなる無機質建材。
【手続補正２】
【補正対象書類名】明細書
【補正対象項目名】０００７
【補正方法】変更
【補正の内容】
【０００７】
本発明は、
（１）  単量体成分を多段乳化重合させることによって得られる複数の樹脂層を有するエマルション粒子を含有する樹脂エマルション、顔料およびレオロジーコントロール剤を含有するシーラー用塗料組成物であって、前記エマルション粒子の内層が芳香族系単量体９０〜１００重量％と当該芳香族系単量体以外の単量体０〜１０重量％とを含有する単量体成分を乳化重合させてなる樹脂層であり、前記レオロジーコントロール剤がウレタン会合型レオロジーコントロール剤であり、樹脂エマルションの不揮発分１００重量部あたりの顔料の量が１４０〜４００重量部であることを特徴とするシーラー用塗料組成物、および
（２）  前記（１）に記載のシーラー用塗料組成物が塗布されてなる無機質建材
に関する。
【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
ガラス繊維及び炭素繊維から選ばれる少なくとも１種の無機繊維よりなる強化繊維成分と、限界酸素指数が２５以上であり、繊維径が３０μｍ以下で且つ前記強化繊維の繊維径の４倍以下である熱可塑性スーパーエンプラ繊維よりなるマトリックス樹脂成分と、１０質量％までの量のバインダー成分とを含有することを特徴とする繊維強化プラスチック成形用複合材。
【請求項２】
ＪＡＰＡＮ  ＴＡＰＰＩ  紙パルプ試験方法Ｎｏ．５−２に規定される透気度が２００秒以下である請求項１に記載の繊維強化プラスチック成形用複合材。
【請求項３】
前記繊維強化プラスチック成形用複合材中のバインダー成分が、繊維強化プラスチック成形用複合材の表層部にその多くの部分が存在するように偏在していることを特徴とする請求項１に記載の繊維強化プラスチック成形用複合材。
【請求項４】
前記バインダー成分が、前記スーパーエンプラ繊維よりなるマトリックス樹脂成分と相溶性を有し、且つ前記複合材を２５０℃以上４３０℃以下の温度で加熱加圧成形したときに前記スーパーエンプラ繊維との間に界面が存在せず一体化する樹脂成分であることを特徴とする請求項１〜３のいずれか１項に記載の繊維強化プラスチック成形用複合材。
【請求項５】
前記バインダー成分が、該バインダー成分を含有する溶液或いはエマルジョンとして、塗布法或いは含浸法により不織布シートに付与されていることを特徴とする請求項１〜４のいずれか１項に記載の繊維強化プラスチック成形用複合材。
【請求項６】
前記スーパーエンプラ繊維の繊維径が１〜２０μｍである請求項１〜５のいずれか１項に記載の繊維強化プラスチック成形用複合材。
【請求項７】
前記スーパーエンプラ繊維がポリエーテルイミド（ＰＥＩ）繊維である請求項１〜６のいずれか１項に記載の繊維強化プラスチック成形用複合材。
【請求項８】
前記バインダー成分がポリエチレンテレフタレート（ＰＥＴ）又は変性ポリエチレンテレフタレート（ＰＥＴ）を含む請求項７に記載の繊維強化プラスチック成形用複合材。
【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
遊技者により遊技が行われる遊技領域と、
該遊技領域が遊技者側から視認できるように該遊技領域の前面を閉鎖する透明な遊技窓と、
該遊技窓の外周に略沿って略環状に配置され、遊技媒体の投入により変化する遊技状態に応じて夫々発光可能な環状発光手段と、
該環状発光手段の前側を被覆すると共に透光性を有し前記遊技窓の外周を装飾する装飾体と、
該装飾体の後側に配置され、前記環状発光手段を周方向へ複数の周発光部に分割するように前記遊技窓の外周から外側へ略放射状に延び、遊技状態に応じて発光可能な複数の放射状発光手段と、を具備し、
前記環状発光手段と前記放射状発光手段とは、互いに異なる発光色に制御可能とされ、
前記環状発光手段の複数の周発光部は、それぞれ別の系統に分けられており、前記複数の周発光部ごとに発光制御可能であり、
前記複数の放射状発光手段は、それぞれ別の系統に分けられており、前記複数の放射状発光手段ごとに発光制御可能とされ、
前記放射状発光手段の発光制御は、前記周発光部の発光に応じてなされ得るものであり、
前記環状発光手段は、前記遊技窓を通して視認可能な盤側発光手段と協調して発光制御され、
前記周発光部は、少なくとも発光手段を所定個数備える第１周発光部と、備えられている前記発光手段の個数が前記第１周発光部とは異なる第２周発光部と、を含み、
前記環状発光手段は、前記周発光部とは異なる発光態様で発光可能な特定発光部によって複数の発光群に分けられていることを特徴とする遊技機。
【請求項２】
音の出力にかかる制御を行う音出力制御手段をさらに備えることを特徴とする請求項１記載の遊技機。
【請求項３】
遊技状態に応じて所定の演出画像を表示することが可能な表示装置をさらに備えることを特徴とする請求項１又は請求項２に記載の遊技機。
【手続補正２】
【補正対象書類名】明細書
【補正対象項目名】０００１
【補正方法】変更
【補正の内容】
【０００１】
本発明は、ぱちんこ遊技機（一般的に「パチンコ機」とも称する）や回胴式遊技機（一般的に「パチスロ機」とも称する）等の遊技機に関するものである。
【手続補正３】
【補正対象書類名】明細書
【補正対象項目名】０００２
【補正方法】変更
【補正の内容】
【０００２】
従来、パチンコ機等の遊技機において、遊技媒体として例えば遊技球が打ち込まれる遊技領域の適宜位置には遊技媒体を受入可能な受入口（例えば、一般入賞口、可変入賞口、始動口、役物入賞口、大入賞口、等）が複数備えられており、受入口へ遊技媒体が受入れられることで所定数の遊技媒体が払出されるようになっている。これら受入口の中には、遊技媒体の受入れを契機として抽選を行う始動口が備えられており、その始動口への遊技媒体の受入れ（始動入賞）によって抽選された抽選結果に応じて、遊技者に有利な有利遊技状態を発生させるものも知られている。
この種の遊技機では、遊技領域の前面を閉鎖し開閉可能に支持された扉枠を備えており、扉枠に形成された遊技窓を介して遊技者側から遊技領域が視認できるようになっていると共に、遊技窓の前面外周にＬＥＤ等の発光手段によって発光装飾可能な装飾体が備えられている（例えば、特許文献１）。
【手続補正４】
【補正対象書類名】明細書
【補正対象項目名】０００３
【補正方法】変更
【補正の内容】
【０００３】
【特許文献１】特開２００９−００６１８１号公報
【手続補正５】
【補正対象書類名】明細書
【補正対象項目名】０００４
【補正方法】変更
【補正の内容】
【０００４】
しかしながら、従来の遊技機では、遊技者の関心を強く引付けることができなかった。
【手続補正６】
【補正対象書類名】明細書
【補正対象項目名】０００５
【補正方法】変更
【補正の内容】
【０００５】
そこで、本発明は上記の実情に鑑み、遊技者の関心を強く引付けることが可能な遊技機の提供を課題とするものである。
【手続補正７】
【補正対象書類名】明細書
【補正対象項目名】０００６
【補正方法】変更
【補正の内容】
【０００６】
手段１：遊技機において、
「遊技者により遊技が行われる遊技領域と、
該遊技領域が遊技者側から視認できるように該遊技領域の前面を閉鎖する透明な遊技窓と、
該遊技窓の外周に略沿って略環状に配置され、遊技媒体の投入により変化する遊技状態に応じて夫々発光可能な環状発光手段と、
該環状発光手段の前側を被覆すると共に透光性を有し前記遊技窓の外周を装飾する装飾体と、
該装飾体の後側に配置され、前記環状発光手段を周方向へ複数の周発光部に分割するように前記遊技窓の外周から外側へ略放射状に延び、遊技状態に応じて発光可能な複数の放射状発光手段と、を具備し、
前記環状発光手段と前記放射状発光手段とは、互いに異なる発光色に制御可能とされ、
前記環状発光手段の複数の周発光部は、それぞれ別の系統に分けられており、前記複数の周発光部ごとに発光制御可能であり、
前記複数の放射状発光手段は、それぞれ別の系統に分けられており、前記複数の放射状発光手段ごとに発光制御可能とされ、
前記放射状発光手段の発光制御は、前記周発光部の発光に応じてなされ得るものであり、
前記環状発光手段は、前記遊技窓を通して視認可能な盤側発光手段と協調して発光制御され、
前記周発光部は、少なくとも発光手段を所定個数備える第１周発光部と、備えられている前記発光手段の個数が前記第１周発光部とは異なる第２周発光部と、を含み、
前記環状発光手段は、前記周発光部とは異なる発光態様で発光可能な特定発光部によって複数の発光群に分けられている」ものであることを特徴とする。
【手続補正８】
【補正対象書類名】明細書
【補正対象項目名】０００７
【補正方法】変更
【補正の内容】
【０００７】
これにより、環状発光手段の複数の発光部によって表情豊かな発光演出を行うことが可能となり、遊技者の関心を強く引付けることができると共に、遊技者を楽しませて興趣が低下するのを抑制することができる。
【手続補正９】
【補正対象書類名】明細書
【補正対象項目名】０００８
【補正方法】削除
【補正の内容】
【手続補正１０】
【補正対象書類名】明細書
【補正対象項目名】０００９
【補正方法】削除
【補正の内容】
【手続補正１１】
【補正対象書類名】明細書
【補正対象項目名】００１０
【補正方法】削除
【補正の内容】
【手続補正１２】
【補正対象書類名】明細書
【補正対象項目名】００１１
【補正方法】削除
【補正の内容】
【手続補正１３】
【補正対象書類名】明細書
【補正対象項目名】００１２
【補正方法】変更
【補正の内容】
【００１２】
このように、本発明によれば、遊技者の関心を強く引付けることができると共に、遊技者を楽しませて興趣が低下するのを抑制することができる。
【手続補正書】
【提出日】平成27年6月30日(2015.6.30)
【手続補正１】
【補正対象書類名】特許請求の範囲
【補正対象項目名】請求項１
【補正方法】変更
【補正の内容】
【請求項１】
複数種類の図柄を表示した複数のリールと、
各前記リールごとに設けられ、対応する前記リールを停止させるときに遊技者が操作するストップスイッチと、
遊技の進行を制御するメイン制御手段と
を備え、
前記メイン制御手段は、
特別遊技に移行させるための特別役を含む役の抽選を行う役抽選手段と、
前記特別役に当選したときは、当選した前記特別役に対応する図柄の組合せが停止表示されるまで、前記特別役の当選情報を持ち越す特別役持越し手段と、
前記ストップスイッチが操作されたときに前記リールを停止制御するリール制御手段と、
所定のフリーズ演出を制御するフリーズ制御手段と
を備え、
前記所定のフリーズ演出は、前記特別役の当選情報を持ち越している遊技であって複数遊技にわたって実行される特定遊技の方が、前記特定遊技が終了した後の遊技であって前記特別役の当選情報を持ち越している遊技よりも実行される可能性が高い
ことを特徴とするスロットマシン。
【手続補正２】
【補正対象書類名】明細書
【補正対象項目名】０００１
【補正方法】変更
【補正の内容】
【０００１】
本発明は、所定のフリーズ演出を出力するスロットマシンに関するものである。
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】変更
【補正の内容】
【０００５】
【特許文献１】特開２００９−０４５０８９号公報
【特許文献２】特開２０１１−１１５３９９号公報
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明が解決しようとする課題は、特別役の当選可能性を報知するフリーズ演出を実行する場合に、遊技者に煩わしさを与えてしまうことを少なくすることである。
【手続補正７】
【補正対象書類名】明細書
【補正対象項目名】００１０
【補正方法】変更
【補正の内容】
【００１０】
本発明は、以下の解決手段によって、上述の課題を解決する。なお、かっこ書きにて、対応する実施形態を示す。
本発明は、
複数種類の図柄を表示した複数のリール（３１）と、
各前記リールごとに設けられ、対応する前記リールを停止させるときに遊技者が操作するストップスイッチ（４２）と、
遊技の進行を制御するメイン制御手段（５０）と
を備え、
前記メイン制御手段は、
特別遊技に移行させるための特別役を含む役の抽選を行う役抽選手段と、
前記特別役に当選したときは、当選した前記特別役に対応する図柄の組合せが停止表示されるまで、前記特別役の当選情報を持ち越す特別役持越し手段（当選フラグ制御手段６３）と、
前記ストップスイッチが操作されたときに前記リールを停止制御するリール制御手段（６４）と、
所定のフリーズ演出を制御するフリーズ制御手段（７０）と
を備え、
前記所定のフリーズ演出は、前記特別役の当選情報を持ち越している遊技（内部中遊技）であって複数遊技にわたって実行される特定遊技（フリーズ高確状態の遊技）の方が、前記特定遊技が終了した後の遊技であって前記特別役の当選情報を持ち越している遊技（フリーズ低確状態の遊技）よりも実行される可能性が高い
ことを特徴とする。
【手続補正８】
【補正対象書類名】明細書
【補正対象項目名】００１１
【補正方法】変更
【補正の内容】
【００１１】
本発明によれば、特別役の当選情報を持ち越している特定遊技では、フリーズ演出を実行する可能性を高くすることにより、特別役の当選可能性を遊技者に報知することができる。
また、特定遊技の終了後は、フリーズ演出の実行可能性をそれまでよりも低くすることにより、特定遊技の終了後における遊技進行が過度に妨げられることをなくし、遊技者に煩わしさを与えてしまうことを少なくすることができる。
【手続補正書】
【提出日】平成27年8月28日(2015.8.28)
【手続補正１】
【補正対象書類名】特許請求の範囲
【補正対象項目名】全文
【補正方法】変更
【補正の内容】
【特許請求の範囲】
【請求項１】
複数の図柄が付された複数のリールと、
前記リールごとに対応する複数のストップスイッチと、
前記ストップスイッチの操作に基づいて、リールの停止制御を行うリール制御手段と、
所定のフリーズ演出を実施するフリーズ演出実施手段と、
前記ストップスイッチの操作態様を報知可能なアシストタイムを実施する演出制御手段と、
を備え、
前記所定のフリーズ演出は、前記フリーズ演出が実施される前に行われる所定抽選に当選した回数に応じた時間、少なくとも実施されるものであり、
前記所定抽選は、抽選に外れるまで繰り返し行われるものであり、
前記アシストタイムの実施可能数は、前記所定のフリーズ演出の実施時間に対応する数を増加可能である
ことを特徴とするスロットマシン。